(57)【要約】【課題】二次電池の生産性および安全性を向上させる。【解決手段】二次電池は、長尺状の正極箔１７１に正極活物質が塗工された正極塗工部と塗工されていない正極未塗工部１７６ｂとを有する正極電極１７４、および、長尺状の負極箔１７２に負極活物質が塗工された負極塗工部と塗工されていない負極未塗工部１７７ｂとを有する負極電極１７５をセパレータ１７３を介在させて扁平形状に捲回した捲回電極群１７０と、電池容器と、正極端子および負極端子と、正極集電体と、負極集電体とを備えている。捲回電極群１７０は、捲回軸方向の一端部に正極未塗工部１７６ｂの積層部が設けられ、捲回軸方向の他端部に負極未塗工部１７７ｂの積層部が設けられている。捲回電極群１７０は、捲回軸方向の端部と電池容器の内面との捲回軸方向の隙間Ｘｐ，Ｘｎが捲回電極群１７０の内周側よりも外周側の方が長くなるように形成されている。【選択図】図９
2013222620.tif 000002
【特許請求の範囲】
【請求項１】
長尺状の正極箔に正極活物質が塗工された正極塗工部と塗工されていない正極未塗工部とを有する正極電極、および、長尺状の負極箔に負極活物質が塗工された負極塗工部と塗工されていない負極未塗工部とを有する負極電極をセパレータを介在させて扁平形状に捲回した捲回電極群と、
前記捲回電極群を収容し、電解液が注入される電池容器と、
前記電池容器に設けられた正極端子および負極端子と、
前記正極未塗工部と前記正極端子とを接続する正極集電体と、
前記負極未塗工部と前記負極端子とを接続する負極集電体とを備え、
前記捲回電極群は、捲回軸方向の一端部に前記正極未塗工部の積層部が設けられ、捲回軸方向の他端部に前記負極未塗工部の積層部が設けられ、
前記捲回電極群は、捲回軸方向の端部と前記電池容器の内面との捲回軸方向の隙間が前記捲回電極群の内周側よりも外周側の方が長くなるように形成されていることを特徴とする二次電池。
【請求項２】
請求項１に記載の二次電池において、
前記正極電極は、前記正極未塗工部の捲回軸方向の長さが前記捲回電極群の内周側よりも外周側の方が短くなるように形成され、
前記負極電極は、前記負極未塗工部の捲回軸方向の長さが前記捲回電極群の内周側よりも外周側の方が短くなるように形成されていることを特徴とする二次電池。
【請求項３】
請求項１または２に記載の二次電池において、
前記捲回電極群の内周側に位置する前記正極電極の巻き始め端部から前記捲回電極群の外周側に位置する前記正極電極の巻き終わり端部にかけて、前記正極未塗工部の捲回軸方向の長さを直線的に変化させ、
前記捲回電極群の内周側に位置する前記負極電極の巻き始め端部から前記捲回電極群の外周側に位置する前記負極電極の巻き終わり端部にかけて、前記負極未塗工部の捲回軸方向の長さを直線的に変化させたことを特徴とする二次電池。
【請求項４】
請求項１または２に記載の二次電池において、
前記捲回電極群の内周側に位置する前記正極電極の巻き始め端部から前記捲回電極群の外周側に位置する前記正極電極の巻き終わり端部にかけて、前記正極未塗工部の捲回軸方向の長さを段階的に変化させ、
前記捲回電極群の内周側に位置する前記負極電極の巻き始め端部から前記捲回電極群の外周側に位置する前記負極電極の巻き終わり端部にかけて、前記負極未塗工部の捲回軸方向の長さを段階的に変化させたことを特徴とする二次電池。
【請求項５】
請求項１または２に記載の二次電池において、
前記捲回電極群の内周側に位置する前記正極電極の巻き始め端部から前記捲回電極群の外周側に位置する前記正極電極の巻き終わり端部にかけて、前記正極未塗工部の捲回軸方向の長さを曲線的に変化させ、
前記捲回電極群の内周側に位置する前記負極電極の巻き始め端部から前記捲回電極群の外周側に位置する前記負極電極の巻き終わり端部にかけて、前記負極未塗工部の捲回軸方向の長さを曲線的に変化させたことを特徴とする二次電池。
【請求項６】
請求項５に記載の二次電池において、
前記捲回電極群の捲回軸方向の端部を構成する前記正極箔の端部と、前記電池容器の内面との捲回軸方向の隙間の変化率が、前記捲回電極群の外周側に比べて前記捲回電極群の内周側の方が大きくなるように、前記正極箔の端部の形状が決定され、
前記捲回電極群の捲回軸方向の端部を構成する前記負極箔の端部と、前記電池容器の内面との捲回軸方向の隙間の変化率が、前記捲回電極群の外周側に比べて前記捲回電極群の内周側の方が大きくなるように、前記負極箔の端部の形状が決定されることを特徴とする二次電池。
【請求項７】
請求項５に記載の二次電池において、
前記捲回電極群の捲回軸方向の端部を構成する前記正極箔の端部と、前記電池容器の内面との捲回軸方向の隙間の変化率が、前記捲回電極群の内周側に比べて前記捲回電極群の外周側の方が大きくなるように、前記正極箔の端部の形状が決定され、
前記捲回電極群の捲回軸方向の端部を構成する前記負極箔の端部と、前記電池容器の内面との捲回軸方向の隙間の変化率が、前記捲回電極群の内周側に比べて前記捲回電極群の外周側の方が大きくなるように、前記負極箔の端部の形状が決定されることを特徴とする二次電池。
【発明の詳細な説明】
【技術分野】
【０００１】
本発明は、二次電池に関する。
【背景技術】
【０００２】
近年、ハイブリッド電気自動車や純粋な電気自動車等の動力源として大容量（Ｗｈ）の二次電池が開発されており、その中でもエネルギー密度（Ｗｈ／ｋｇ）の高い角形のリチウムイオン二次電池が注目されている（特許文献１参照）。
【０００３】
角形のリチウムイオン二次電池においては、正極箔に正極活物質を塗工した正極電極、負極箔に負極活物質を塗工した負極電極およびそれぞれを絶縁するためのセパレータを重ね合わせて捲回することで扁平形状の捲回電極群が形成される。捲回電極群は、正極集電体および負極集電体を介して、電池容器の電池蓋に設けられた正極端子および負極端子に電気的に接続される。捲回電極群は、電池容器の電池缶に収容され、電池缶の開口部は電池蓋で封止溶接される。二次電池は、電池蓋に設けられた注液孔から電解液が注液された後、注液栓が挿入されてレーザ溶接により封止溶接されることで形成される。
【先行技術文献】
【特許文献】
【０００４】
【特許文献１】特開２００８−６６２５４号公報
【発明の概要】
【発明が解決しようとする課題】
【０００５】
捲回電極群の捲回軸方向の一端部には正極束状電極接続部（特許文献１の正極集電板群に相当）が形成され、他端部には負極束状電極接続部が形成されている。正負極束状電極接続部は、それぞれ正負極活物質が塗工されない正負極未塗工部の積層部が予め押し潰されることで形成される。正負極束状電極接続部は、それぞれ正負極集電体（特許文献１の集電タブ部材に相当）に超音波接合等により接続される。
【０００６】
このため、電池容器に注入された電解液は、主に、捲回電極群の捲回軸方向の両端の正負極束状電極接続部を除く部分、すなわち電池蓋側の湾曲部近傍および電池缶底板側の湾曲部近傍における正極箔同士の隙間（捲回電極群の開口部）や負極箔同士の隙間（捲回電極群の開口部）から捲回電極群の内部に浸入することになる。
【０００７】
特許文献１に記載の二次電池では、捲回電極群の開口部の面積が小さいために、電解液が捲回電極群の内部に浸入しにくく、電解液の注液作業に時間がかかるという問題点があった。
【０００８】
ところで、リチウムイオン二次電池は、過充電や短絡を生じた場合に発熱して、電池内部に高温のガスが発生することがある。上記した捲回電極群の開口部は、電解液の入口としての機能だけでなく、捲回電極群内で発生したガスを捲回電極群外に排出する排出口としての機能も担っている。このため、上記した捲回電極群の開口部の総面積を大きくすることで、ガス排出性能を向上させたいという要望もあった。
【課題を解決するための手段】
【０００９】
本発明は、長尺状の正極箔に正極活物質が塗工された正極塗工部と塗工されていない正極未塗工部とを有する正極電極、および、長尺状の負極箔に負極活物質が塗工された負極塗工部と塗工されていない負極未塗工部とを有する負極電極をセパレータを介在させて扁平形状に捲回した捲回電極群と、捲回電極群を収容し、電解液が注入される電池容器と、電池容器に設けられた正極端子および負極端子と、正極未塗工部と正極端子とを接続する正極集電体と、負極未塗工部と負極端子とを接続する負極集電体とを備え、捲回電極群は、捲回軸方向の一端部に正極未塗工部の積層部が設けられ、捲回軸方向の他端部に負極未塗工部の積層部が設けられ、捲回電極群は、捲回軸方向の端部と電池容器の内面との捲回軸方向の隙間が捲回電極群の内周側よりも外周側の方が長くなるように形成されていることを特徴とする二次電池である。
【発明の効果】
【００１０】
本発明によれば、電解液の注液作業に要する時間を短縮でき、二次電池の生産性を向上させることができる。また、本発明によれば、捲回電極群内で発生したガスを素早く捲回電極群外に排出することができ、二次電池の安全性を向上させることができる。
【図面の簡単な説明】
【００１１】
【図１】本発明の実施の形態に係る二次電池の外観を示す斜視図。
【図２】図１の二次電池の構成を示す分解斜視図。
【図３】電池容器内に収容される捲回電極群を示す斜視図。
【図４】捲回電極群の積層構造を説明するための断面模式図。
【図５】図５（ａ）は正極電極を示す平面模式図。図５（ｂ）は負極電極を示す平面模式図。
【図６】捲回工程の一例を説明するための斜視図。
【図７】捲回電極群の負極束状電極接続部を示す部分拡大斜視図。
【図８】捲回電極群の平面断面模式図。
【図９】電池容器内に収容された捲回電極群の断面模式図。
【図１０】図１０（ａ）は、本実施の形態に係る捲回電極群の上部湾曲部を示す断面模式図。図１０（ｂ）は、従来例に係る捲回電極群の上部湾曲部を示す断面模式図。
【図１１】図１１（ａ）および図１１（ｂ）は、本実施の形態に係る二次電池において、電池容器内に収容される捲回電極群を示す側面模式図および底面模式図。図１１（ｃ）および図１１（ｄ）は、従来例に係る二次電池において、電池容器内に収容される捲回電極群を示す側面模式図および底面模式図。
【図１２】電池容器内に注入される電解液の主な流れについて説明する図。
【図１３】本発明の変形例に係る二次電池の捲回電極群を構成する正負極電極を示す図。
【図１４】本発明の変形例に係る二次電池の捲回電極群を構成する正負極電極を示す図。
【図１５】本発明の変形例に係る二次電池の捲回電極群を構成する正負極電極を示す図。
【図１６】本発明の変形例に係る二次電池の捲回電極群を示す模式図。
【発明を実施するための形態】
【００１２】
以下、本発明による二次電池を角形リチウムイオン電池に適用した実施の形態を、図面を参照して説明する。
―第１の実施の形態―
図１は二次電池１００の外観を示す斜視図であり、図２は図１の二次電池１００の構成を示す分解斜視図である。
【００１３】
図１および図２に示すように、二次電池１００は、扁平な直方体形状であって、電池缶１０１と電池蓋１０２とからなる電池容器を備えている。電池缶１０１および電池蓋１０２の材質は、アルミニウムまたはアルミニウム合金などである。
【００１４】
図２に示すように、電池容器内には捲回電極群１７０が収容されている。電池缶１０１は、矩形平板状の一対の幅広側板１０１ａと、矩形平板状の一対の幅狭側板１０１ｂと、矩形平板状の底板１０１ｃとを有し、一端が開口された矩形箱状に形成されている。捲回電極群１７０は絶縁ケース１０８に覆われた状態で電池缶１０１に収容されている。絶縁ケース１０８の材質は、ポリプロピレンやポリエチレンテレフタレート等の絶縁性を有する樹脂である。これにより、電池缶１０１の底面および側面と、捲回電極群１７０とは電気的に絶縁されている。
【００１５】
図１および図２に示すように、電池蓋１０２は、矩形平板状であって、電池缶１０１の開口を塞ぐようにレーザ溶接されている。つまり、電池蓋１０２は、電池缶１０１を封止している。電池蓋１０２には、正極端子１４１および負極端子１５１が配設されている。
【００１６】
図２に示すように、正極端子１４１および負極端子１５１は、それぞれ電池缶１０１内に配設される正極集電体１８０および負極集電体１９０にかしめにより接続されている。なお、正極端子１４１、正極集電体１８０、負極端子１５１および負極集電体１９０は、それぞれ絶縁部材によって電池蓋１０２と電気的に絶縁されている。
【００１７】
正極端子１４１および正極集電体１８０の材質はアルミニウムである。正極端子１４１は、正極集電体１８０に電気的に接続される。負極端子１５１および負極集電体１９０の材質は銅である。負極端子１５１は、負極集電体１９０に電気的に接続される。
【００１８】
図２に示すように、正極集電体１８０は、電池蓋１０２の内面に沿って配置される矩形平板状の座面部１８１と、座面部１８１の長辺側部から略直角に屈曲して底板１０１ｃに向かって延在する一対の接続部１８２と、一対の接続部１８２の一端側から所定幅で底板１０１ｃに向かって延在する絞り加工部１８５とを備えている。同様に、負極集電体１９０は、電池蓋１０２の内面に沿って配置される矩形平板状の座面部１９１と、座面部１９１の長辺側部から略直角に屈曲して底板１０１ｃに向かって延在する一対の接続部１９２と、一対の接続部１９２の一端側から所定幅で底板１０１ｃに向かって延在する絞り加工部１９５とを備えている。
【００１９】
正極集電体１８０は、捲回電極群１７０の正極電極１７４における正極箔１７１の露出部である正極未塗工部１７６ｂ（図３参照）に超音波接合される接合部１８３を備えている。負極集電体１９０は、捲回電極群１７０の負極電極１７５における負極箔１７２の露出部である負極未塗工部１７７ｂ（図３参照）に超音波接合される接合部１９３を備えている。
【００２０】
正極端子１４１が正極集電体１８０を介して捲回電極群１７０の正極電極１７４に電気的に接続され、負極端子１５１が負極集電体１９０を介して捲回電極群１７０の負極電極１７５に電気的に接続されている。このため、正極端子１４１および負極端子１５１を介して外部負荷に電力が供給され、あるいは、正極端子１４１および負極端子１５１を介して外部発電電力が捲回電極群１７０に供給されて充電される。
【００２１】
正負極端子１４１，１５１と正負極集電体１８０，１９０が電池蓋１０２に取り付けられることで蓋組立体が形成され、正負極集電体１８０，１９０が捲回電極群１７０に超音波接合されることで電極群組立体１０７が形成される。
【００２２】
図２に示すように、電池蓋１０２には、電池容器内に電解液を注入するための注液孔１０６ａが穿設されている。注液孔１０６ａは、図１に示すように、電解液注入後に注液栓１０６ｂによって封止される。電解液としては、たとえば、エチレンカーボネート（ＥＣ）、ジメチルカーボネート（ＤＭＣ）、ジエチルカーボネート（ＤＥＣ）の体積比１：１：１の混合溶液中に６フッ化リン酸リチウム（ＬｉＰＦ６）を１ｍｏｌ／Ｌとなるように溶解したものを用いることができる。
【００２３】
図１および図２に示すように、電池蓋１０２の表面には、ガス排出弁１０３が凹設されている。ガス排出弁１０３は、内圧作用時の応力集中度合が相対的に高くなるように、プレス加工によって電池蓋１０２を部分的に薄肉化することで形成されている。ガス排出弁１０３は、二次電池１００が過充電等の異常により発熱してガスが発生し、電池容器内の圧力が上昇して所定圧力（たとえば、約１ＭＰａ）に達したときに開裂して、内部からガスを排出することで電池容器内の圧力を低減させる。
【００２４】
図３は、電池容器内に収容される捲回電極群１７０を示す斜視図である。図３に示すように、蓄電要素である捲回電極群１７０は、長尺状の正極電極１７４および負極電極１７５を、それぞれを絶縁するためのセパレータ１７３を介在させて捲回軸Ｗ周りに扁平形状に捲回することで積層構造とされている。
【００２５】
図４は、捲回電極群１７０の積層構造を説明するための断面模式図である。捲回電極群１７０は、図４（ａ）に示すように、長尺シート状のセパレータ１７３ａと、長尺シート状の負極電極１７５と、長尺シート状のセパレータ１７３ｂと、長尺シート状の正極電極１７４とを順に積層したシート層を、図４（ｂ）に示すように、負極電極１７５が捲回電極群１７０の最内周および最外周に位置し、かつ、捲回電極群１７０の両端部に円弧状面が形成されるように扁平形状に捲回したものである。
【００２６】
図４（ａ）において、負極電極１７５は正極電極１７４よりも長く切り出され、図４（ｂ）に示すように、負極電極１７５の巻き始め端部１７５Ｓおよび巻き終わり端部１７５Ｅは、正極電極１７４の巻き始め端部１７４Ｓおよび巻き終わり端部１７４Ｅを覆うように構成されている。なお、シート状のセパレータ１７３ａ，１７３ｂは、正極電極１７４と負極電極１７５との間に介在し、シート状のセパレータ１７３ｂが捲回電極群１７０の外周面を構成する。捲回工程については後述する。
【００２７】
図４（ａ）のシート層を捲回して構成される捲回電極群１７０の外形形状は、図３および図４に示すように、両端に形成された円弧状の湾曲部と、両湾曲部に連接する表裏の平坦部１７０Ｐとで規定される扁平形状である。なお、便宜上、図３に示す上側の湾曲部を上部湾曲部１７０Ｕ、下側の湾曲部を下部湾曲部１７０Ｌと記す。
【００２８】
図３に示すように、正極電極１７４は、正極活物質合剤が正極箔１７１の両面に塗工された正極塗工部１７６ａと、正極活物質合剤が正極箔１７１の両面に塗工されていない正極未塗工部１７６ｂとを有している。正極活物質合剤は、正極活物質に結着材（バインダ）が配合されてなる。負極電極１７５は、負極活物質合剤が負極箔１７２の両面に塗工された負極塗工部１７７ａと、負極活物質合剤が負極箔１７２の両面に塗工されていない負極未塗工部１７７ｂとを有している。負極活物質合剤は、負極活物質に結着材（バインダ）が配合されてなる。正極活物質と負極活物質との間では、充放電が行われる。
【００２９】
正極箔１７１は厚さ２０μｍ程度のアルミニウム箔であり、負極箔１７２は厚さ１０μｍ程度の銅箔である。正極活物質は、ニッケル酸リチウム、コバルト酸リチウム、マンガン酸リチウム等のリチウム含有遷移金属複酸化物である。負極活物質は、リチウムイオンを可逆に吸蔵、放出可能な非晶質炭素、天然黒鉛、人造黒鉛等の炭素材である。正極電極１７４と負極電極１７５との間に介在するセパレータ１７３は、たとえばポリエチレン樹脂よりなる微多孔性材料によって形成されたポリエチレン多孔質フィルムであり、微孔内に電解液を保持する。なお、セパレータ１７３の素材としては、ポリプロピレン多孔質フィルムや合成樹脂製不織布などを用いてもよい。
【００３０】
捲回電極群１７０の幅方向（捲回方向に直交する捲回軸Ｗ方向）の両端部は、一方が正極未塗工部１７６ｂ（正極箔１７１の露出部）の積層部とされ、他方が負極未塗工部１７７ｂ（負極箔１７２の露出部）の積層部とされている。
【００３１】
図５（ａ）は正極電極１７４を示す平面模式図であり、図５（ｂ）は負極電極１７５を示す平面模式図である。図５（ａ）に示すように、長尺状の正極箔１７１の両面に活物質合剤が塗工され、その後、乾燥、プレスされて正極活物質合剤層１７６ｐ（ハッチング部分）が加圧成形される。同様に、図５（ｂ）に示すように、長尺状の負極箔１７２の両面に活物質合剤が塗工され、その後、乾燥、プレスされて負極活物質合剤層１７７ｎ（ハッチング部分）が加圧成形される。正負極活物質合剤層１７６ｐ，１７７ｎは、それぞれ片面で４０μｍ程度の厚みとされている。したがって、正極電極１７４の厚みは、１００μｍ程度となり、負極電極１７５の厚みは、９０μｍ程度となる。
【００３２】
図示するように、本実施の形態では、正極塗工部１７６ａの幅は、巻き始め端部１７４Ｓから巻き終わり端部１７４Ｅにかけて同一の寸法とされているが、正極未塗工部１７６ｂの幅は、巻き始め端部１７４Ｓと巻き終わり端部１７４Ｅとで異なっている。同様に、負極塗工部１７７ａの幅は、巻き始め端部１７５Ｓから巻き終わり端部１７５Ｅにかけて同一の寸法とされているが、負極未塗工部１７７ｂの幅は、巻き始め端部１７５Ｓと巻き終わり端部１７５Ｅとで異なっている。
【００３３】
本実施の形態では、図５（ａ）に示すように、正極電極１７４の巻き始め端部１７４Ｓから正極電極１７４の巻き終わり端部１７４Ｅにかけて、正極未塗工部１７６ｂの捲回軸方向の長さ、すなわち正極未塗工部１７６ｂの幅が直線的に変化するように正極電極１７４が形成されている。同様に、図５（ｂ）に示すように、負極電極１７５の巻き始め端部１７５Ｓから負極電極１７５の巻き終わり端部１７５Ｅにかけて、負極未塗工部１７７ｂの捲回軸方向の長さ、すなわち負極未塗工部１７７ｂの幅が直線的に変化するように負極電極１７５が形成されている。
【００３４】
図５（ａ）に示すように、正極電極１７４は、巻き終わり端部１７４Ｅにおける正極未塗工部１７６ｂの捲回軸方向の長さ（以下、幅Ｌｐ２と記す）が巻き始め端部１７４Ｓにおける正極未塗工部１７６ｂの捲回軸方向の長さ（以下、幅Ｌｐ１と記す）に比べて短くなるように形成されている。同様に、図５（ｂ）に示すように、負極電極１７５は、巻き終わり端部１７５Ｅにおける負極未塗工部１７７ｂの捲回軸方向の長さ（以下、幅Ｌｎ２と記す）が巻き始め端部１７５Ｓにおける負極未塗工部１７７ｂの捲回軸方向の長さ（以下、幅Ｌｎ１と記す）に比べて短くなるように形成されている。幅Ｌｐ１および幅Ｌｎ１は、それぞれ、たとえば１０ｍｍ程度であり、幅Ｌｐ２および幅Ｌｎ２は、それぞれ、たとえば８〜９ｍｍ程度である。すなわち、幅Ｌｐ１と幅Ｌｐ２の差、および、幅Ｌｎ１と幅Ｌｎ２の差は、それぞれ１〜２ｍｍ程度である。
【００３５】
図６は捲回工程の一例を説明するための斜視図である。捲回工程では、不図示のローラに接触させて張力を付与しながら、正極電極１７４と負極電極１７５とセパレータ１７３とを重ね合わせつつ捲回することで捲回電極群１７０が作製される。
【００３６】
捲回に際しては、ポリプロピレン樹脂等からなる捲回軸（巻芯）１６にセパレータ１７３を複数回捲回して軸芯を形成する。捲回軸１６の片側からセパレータ１７３ｂの下側に負極電極１７５を巻き込み、セパレータ１７３ａの上側に正極電極１７４を巻き込む。捲回軸１６を回転させることで、セパレータ１７３ａと正極電極１７４およびセパレータ１７３ｂと負極電極１７５は、それぞれ水平に設置されるガイドローラ１７によって案内されつつ軸芯の周りに捲回される。捲回の際、正極未塗工部１７６ｂと負極未塗工部１７７ｂとを互いに反対側に配置する。
【００３７】
捲回電極群１７０の最内周および最外周で捲回方向に正極電極１７４が負極電極１７５からはみ出ないように、負極電極１７５の長手方向（捲回方向）の長さは、正極電極１７４の長手方向（捲回方向）の長さに比べて長く設定されている（図４参照）。負極電極１７５の負極塗工部１７７ａの短手方向（捲回軸方向）の長さは、短手方向（捲回軸方向）に正極塗工部１７６ａが負極塗工部１７７ａからはみ出ないように、正極電極１７４の正極塗工部１７６ａの短手方向（捲回軸方向）の長さに比べて長く設定されている。巻終わり部分には、セパレータ１７３を複数回捲回する。
【００３８】
捲回時は、正極電極１７４、負極電極１７５、セパレータ１７３ａ，１７３ｂともに、長手方向に１０Ｎの荷重を掛けて伸展しつつ、正極電極１７４の正極塗工部１７６ａ側端部および負極電極１７５の負極塗工部１７７ａ側端部、ならびに、セパレータ１７３ａ，１７３ｂのそれぞれの長手方向の側面端部が一定位置になるように蛇行制御される。
【００３９】
このようにして作製された捲回電極群１７０は、図３に示すように、捲回軸Ｗ方向の一端部に正極未塗工部１７６ｂの積層部が配置され、捲回軸Ｗ方向の他端部に負極未塗工部１７７ｂの積層部が配置される。
【００４０】
図７は、捲回電極群１７０の負極束状電極接続部１７９を示す部分拡大斜視図である。図７では、負極側の構成を示しているが、正極側も同様の形状であるため、便宜上、かっこ書きで正極側の構成要素の参照番号を付している。本実施の形態では、捲回電極群１７０の一端部に設けられた負極未塗工部１７７ｂの積層部が２つに分離されるように予め押し潰され、厚み方向に圧縮されることで、一対の負極束状電極接続部１７９が形成されている。同様に、捲回電極群１７０の他端部に設けられた正極未塗工部１７６ｂの積層部が２つに分離されるように予め押し潰され、厚み方向に圧縮されることで、一対の正極束状電極接続部１７８が形成されている。
【００４１】
図８は捲回電極群１７０の平面断面模式図である。図８に示すように、正極束状電極接続部１７８には、正極集電体１８０の接合部１８３が超音波接合され、負極束状電極接続部１７９には、負極集電体１９０の接合部１９３が超音波接合されている。正極束状電極接続部１７８と正極集電体１８０との接合の際には、矩形平板状の保護板１９８が使用されて正極箔１７１の損傷が防止される。負極束状電極接続部１７９と負極集電体１９０との接合の際には、矩形平板状の保護板１９７が使用されて負極箔１７２の損傷が防止される。
【００４２】
図９は、電池容器内に収容された捲回電極群１７０の断面模式図である。図９（ａ）および図９（ｂ）は、図７の捲回電極群１７０の上部湾曲部１７０Ｕを構成する正極未塗工部１７６ｂおよび負極未塗工部１７７ｂを示す断面模式図である。図９（ｂ）は、図７のＡ−Ａ線で切断した断面を示す模式図である。図９では、便宜上、正負極電極１７４，１７５の厚みや、正負極未塗工部１７６ｂ，１７７ｂの捲回電極群１７０の内周側の長さと外周側の長さとの差を誇張して示している。上記したように、正極電極１７４の厚みは１００μｍ程度であり、負極電極１７５の厚みは９０μｍ程度である。なお、図９では、便宜上、積層数を実際より少なく記載している。実際には数十層の正負極電極１７４，１７５がそれぞれ配置されている。なお、図９では、正負極集電体や正負極端子等の図示は省略している。
【００４３】
捲回電極群１７０は、上記したように、正極電極１７４（図５（ａ）参照）および負極電極１７５（図５（ｂ）参照）をそれぞれ巻き始め端部１７４Ｓ，１７５Ｓ側が捲回電極群１７０の内周側に位置され、巻き終わり端部１７４Ｅ，１７５Ｅ側が捲回電極群１７０の外周側に位置されるようにして捲回されている（図４参照）。
【００４４】
図９（ａ）に示すように、正極未塗工部１７６ｂの端部は、階段状に配置されている。捲回電極群１７０の上部湾曲部１７０Ｕにおいて、最内周に位置する正極電極１７４の正極未塗工部１７６ｂの捲回軸方向の長さ（以下、幅Ｌｐｉとも記す）は、図５（ａ）に示した巻き始め端部１７４Ｓの正極未塗工部１７６ｂの幅Ｌｐ１とほぼ等しくなる。正極未塗工部１７６ｂの捲回軸方向の長さは、捲回電極群１７０の内周側から外周側に向かうにつれて徐々に短くなる。捲回電極群１７０の上部湾曲部１７０Ｕにおいて、最外周に位置する正極電極１７４の正極未塗工部１７６ｂの捲回軸方向の長さ（以下、幅Ｌｐｏとも記す）は、図５（ａ）に示した巻き終わり端部１７４Ｅの正極未塗工部１７６ｂの幅Ｌｐ２とほぼ等しくなる。
【００４５】
換言すれば、図９（ａ）に示すように、捲回電極群１７０の捲回軸方向の端部を構成する正極箔１７１の端部と、電池容器を構成する幅狭側板１０１ｂの内面との捲回軸方向の隙間Ｘｐが、捲回電極群１７０の内周側よりも外周側の方が長くなるように捲回電極群１７０が形成されている。
【００４６】
同様に、図９（ｂ）に示すように、負極未塗工部１７７ｂの端部は、階段状に配置されている。捲回電極群１７０の上部湾曲部１７０Ｕにおいて、最内周に位置する負極電極１７５の負極未塗工部１７７ｂの捲回軸方向の長さ（以下、幅Ｌｎｉとも記す）は、図５（ｂ）に示した巻き始め端部１７５Ｓの負極未塗工部１７７ｂの幅Ｌｎ１とほぼ等しくなる。負極未塗工部１７７ｂの捲回軸方向の長さは、捲回電極群１７０の内周側から外周側に向かうにつれて徐々に短くなる。捲回電極群１７０の上部湾曲部１７０Ｕにおいて、最外周に位置する負極電極１７５の負極未塗工部１７７ｂの捲回軸方向の長さ（以下、幅Ｌｎｏとも記す）は、図５（ｂ）に示した巻き終わり端部１７５Ｅの負極未塗工部１７７ｂの幅Ｌｎ２とほぼ等しくなる。
【００４７】
換言すれば、図９（ｂ）に示すように、捲回電極群１７０の捲回軸方向の端部を構成する負極箔１７２の端部と、電池容器を構成する幅狭側板１０１ｂの内面との捲回軸方向の隙間Ｘｎが、捲回電極群１７０の内周側よりも外周側の方が長くなるように捲回電極群１７０が形成されている。
【００４８】
図１０（ａ）は、本実施の形態に係る捲回電極群１７０の上部湾曲部１７０Ｕを示す断面模式図であり、図１０（ｂ）は、従来例に係る捲回電極群９７０の上部湾曲部９７０Ｕを示す断面模式図である。なお、図１０では負極側の構成を示しているが、負極側と正極側とは、同様の形状、構成であるため、負極側の構成について代表して説明し、正極側の構成については説明を省略する。図１０では、負極集電体や負極端子等の図示は省略している。
【００４９】
図１０（ｂ）に示すように、従来例に係る捲回電極群９７０の上部湾曲部９７０Ｕは、負極未塗工部９７７ｂの捲回軸方向の長さが、捲回電極群９７０の内周側と外周側とで同じである。換言すれば、捲回電極群９７０を構成する負極箔９７２の端部と、電池缶１０１の幅狭側板１０１ｂの内面との捲回軸方向の隙間が、捲回電極群９７０の内周側と外周側とで同じである。
【００５０】
これに対して、本実施の形態に係る捲回電極群１７０の上部湾曲部１７０Ｕは、図１０（ａ）に示すように、負極未塗工部１７７ｂの捲回軸方向の長さが、捲回電極群１７０の内周側から外周側に向かって短くなっている。換言すれば、捲回電極群１７０を構成する負極箔１７２の端部と、電池缶１０１の幅狭側板１０１ｂの内面との捲回軸方向の隙間が、捲回電極群１７０の内周側から外周側に向かって長くなっている。
【００５１】
本実施の形態に係る捲回電極群１７０の上部湾曲部１７０Ｕと、電池容器内面との間に形成される空間Ｓ１６０（図１０（ａ）参照）は、従来例に係る捲回電極群９７０の上部湾曲部９７０Ｕと、電池容器内面との間に形成される空間Ｓ９６０（図１０（ｂ）参照）に比べて広い。
【００５２】
本実施の形態に係る捲回電極群１７０における隣り合う負極箔１７２同士の間に形成される開口Ｓ１６１（図１０（ａ）参照）は、従来例に係る捲回電極群９７０における隣り合う負極箔９７２同士の間に形成される開口Ｓ９６１（図１０（ｂ）参照）に比べて広い。つまり、本実施の形態では、捲回電極群１７０の開口部の総面積が従来に比べて拡大されている。
【００５３】
図１１（ａ）および図１１（ｂ）は、本実施の形態に係る二次電池において、電池容器内に収容される捲回電極群１７０を示す側面模式図および底面模式図である。図１１（ｃ）および図１１（ｄ）は、従来例に係る二次電池において、電池容器内に収容される捲回電極群９７０を示す側面模式図および底面模式図である。なお、図１１では負極側の構成を示しているが、負極側と正極側とは、同様の形状、構成であるため、負極側の構成について代表して説明し、正極側の構成については説明を省略する。図１１では、負極集電体や負極端子等の図示は省略している。
【００５４】
図１１（ｃ）および図１１（ｄ）に示すように、従来例に係る捲回電極群９７０は、下部湾曲部９７０Ｌにおいても、捲回軸方向の端部と、幅狭側板１０１ｂとの捲回軸方向の隙間が捲回電極群９７０の内周側と外周側とで同じである。
【００５５】
これに対して、図１１（ａ）および図１１（ｂ）に示すように、本実施の形態に係る捲回電極群１７０の下部湾曲部１７０Ｌは、上部湾曲部１７０Ｕと同様の形状とされている。すなわち、捲回電極群１７０の捲回軸方向の端部を構成する負極箔１７２の端部と、電池容器を構成する幅狭側板１０１ｂの内面との捲回軸方向の隙間が、捲回電極群１７０の内周側よりも外周側の方が長くなるように捲回電極群１７０が形成されている。
【００５６】
このように、本実施の形態では、従来例に係る捲回電極群９７０の上部湾曲部９７０Ｕと電池容器内面との間に形成される空間Ｓ９６０に比べて広い空間Ｓ１６０が、捲回電極群１７０の上部湾曲部１７０Ｕと電池容器内面との間に形成される。また、本実施の形態では、従来例に係る捲回電極群９７０の下部湾曲部９７０Ｌと電池容器内面との間に形成される空間Ｓ９６２に比べて広い空間Ｓ１６２が、捲回電極群１７０の下部湾曲部１７０Ｌと電池容器内面との間に形成される。
【００５７】
電解液を注入する方法は、たとえば、電池蓋１０２が上側になるように電池容器を平面台上に載置し、電池容器内部の減圧と電解液注入の２つの機能を持った治具（不図示）を注液孔１０６ａに取り付ける。電池容器内圧がたとえば２７ｋＰａ程度になるまで減圧し、その後、所定量の電解液を注入する。
【００５８】
電池容器内に電解液が注入されると、捲回電極群１７０の開口部から電解液が捲回電極群１７０の内部に流入し、所定時間が経過すると、捲回電極群１７０の内部全域に電解液が含浸される。なお、捲回電極群１７０の捲回軸方向の両端部には正負極束状電極接続部１７８，１７９のそれぞれと正負極集電体１８０，１９０のそれぞれとが超音波接合されており、接合部分の正極箔１７１同士、あるいは、接合部分の負極箔１７２同士は密着している。
【００５９】
捲回電極群１７０の開口部としては、捲回電極群１７０の捲回軸方向の両端において、正負極束状電極接続部１７８，１７９を除く部分、すなわち電池蓋１０２側の上部湾曲部１７０Ｕおよびその近傍および底板１０１ｃ側の下部湾曲部１７０Ｌおよびその近傍における正極箔１７１同士の隙間、および、負極箔１７２同士の隙間が確保されている。
【００６０】
上記したように、本実施の形態では、捲回電極群１７０の内周側に比べて外周側の正負極未塗工部１７６ｂ，１７７ｂの捲回軸方向の長さを短くすることで、従来例（図１０（ｂ）、図１１（ｂ）参照）に比べて、捲回電極群１７０の開口部の総面積が拡大されている。図１２を参照して、電池容器内に注入される電解液の主な流れについて説明する。図１２では、電池容器内を流れる電解液の主な流れを細線の矢印で模式的に示し、捲回電極群１７０内部から排出される空気を太線の矢印で模式的に示している。なお、正極側の電解液の流れは、負極側の電解液の流れと同様であるため、以下、負極側の電解液の流れを代表して説明し、正極側の電解液の流れの説明については省略する。
【００６１】
図１２（ａ）に示すように、電池蓋１０２に設けられた注液孔１０６ａから注液された電解液は、電池蓋１０２の長手方向に沿って幅狭側板１０１ｂ側へ流れる。電解液は、空間Ｓ１６０に流れ込み、空間Ｓ１６０から幅狭側板１０１ｂに沿って下方に流れ落ち、空間Ｓ１６２に流れ込む。空間Ｓ１６２に流入した電解液は、底板１０１ｃの長手方向に沿って正極未塗工部（不図示）側に向かって流れる。
【００６２】
電解液を継続して注入することで、液位が上昇し、図１２（ｂ）に示すように、下部湾曲部１７０Ｌの開口部から電解液が捲回電極群１７０の内部に浸入する。捲回電極群１７０の内部に電解液が浸入すると、捲回電極群１７０内の空気が上部湾曲部１７０Ｕの開口部から排出される。
【００６３】
さらに電解液を継続して注入することで、液位が上昇し、電池容器内が電解液によって満たされる。電池容器内に電解液が満たされ、所定時間が経過すると、捲回電極群１７０の内部全域に電解液が含浸される。なお、電解液が捲回電極群１７０に含浸されることで、電池容器内の電解液の液位は低下する。
【００６４】
本実施の形態では、図１０に示したように、従来例に比べて捲回電極群１７０の開口部の面積が拡大されているため、電解液が捲回電極群１７０の内部に浸入しやすく、さらに捲回電極群１７０内の空気も排出されやすい。その結果、本実施の形態によれば、従来例に比べて短い時間で、捲回電極群１７０の内部全域に電解液を含浸することができる。
【００６５】
ところで、二次電池１００は、過充電や短絡を生じた場合に発熱して、電池内部に高温のガスが発生することがある。図示しないが、捲回電極群１７０内部で発生したガスは、捲回電極群１７０の上部湾曲部１７０Ｕおよびその近傍、ならびに、下部湾曲部１７０Ｌおよびその近傍の幅狭側板１０１ｂ側の端部に形成される開口部から捲回電極群１７０の外へ排出される。つまり、捲回電極群１７０の幅狭側板１０１ｂ側の端部に設けられる開口部は、捲回電極群１７０の内部で発生したガスを捲回電極群１７０の外へ排出する排出口としての機能も担っている。
【００６６】
本実施の形態では、図１０に示したように、従来例に比べて捲回電極群１７０の開口部の面積が拡大されているため、捲回電極群１７０の内部で発生したガスは速やかに捲回電極群１７０の外へ排出される。
【００６７】
上述した本実施の形態によれば、以下のような作用効果を奏することができる。
（１）正負極未塗工部１７６ｂ，１７７ｂのそれぞれの捲回軸方向の長さが捲回電極群１７０の内周側よりも外周側の方が短くなるように、正負極電極１７４，１７５のそれぞれを形成した。このようにして形成された正極電極１７４および負極電極１７５をセパレータ１７３を介在させて扁平形状に捲回し、捲回軸方向の端部と電池容器の内面との捲回軸方向の隙間が捲回電極群１７０の内周側よりも外周側の方が長くなるように捲回電極群１７０を形成した。
【００６８】
本実施の形態によれば、従来例に比べて、捲回電極群１７０の開口部の総面積が拡大されている。また、上部湾曲部１７０Ｕおよび下部湾曲部１７０Ｌのそれぞれと電池容器との間には、従来例に比べて広い空間Ｓ１６０，Ｓ１６２が形成され、電解液が電池容器内で流れやすくなっている。これにより、電池容器の注液孔１０６ａから注入された電解液は、従来例に比べて短時間で電解液を捲回電極群１７０の内部全域に含浸させることができる。その結果、電解液の注液作業に要する時間を短縮できるため、二次電池１００の生産性を向上させることができる。
【００６９】
（２）捲回電極群１７０の開口部は、捲回電極群１７０の内部でガスが発生した際のガス排出経路としても機能する。本実施の形態では、捲回電極群１７０の開口部の総面積を従来例に比べて拡大したので、捲回電極群１７０の内部で発生したガスを素早く捲回電極群１７０の外に排出することができる。捲回電極群１７０の内部温度および内部圧力の上昇を抑制し、捲回電極群１７０の開口部から高温、高圧のガスが噴出されることを防止して、二次電池１００の安全性を向上させることができる。
【００７０】
（３）捲回電極群１７０の正負極未塗工部１７６ｂ，１７７ｂの捲回軸方向長さは、捲回電極群１７０の内周側に位置する巻き始め端部１７４Ｓ，１７５Ｓから捲回電極群１７０の外周側に位置する巻き終わり端部１７４Ｅ，１７５Ｅに向かって直線的に変化するようにした（図５参照）。これにより、捲回電極群１７０の内周側から外周側に向かうにつれて徐々に正負極未塗工部１７６ｂ，１７７ｂの捲回軸方向長さを短くすることができる。また、巻き始め端部１７４Ｓ，１７５Ｓと巻き終わり端部１７４Ｅ，１７５Ｅとの間の正負極未塗工部１７６ｂ，１７７ｂの捲回軸方向長さが直線的に変化するように、ロールカッタ等で容易に加工ができるので、製作コストの増加を抑制することができる。
【００７１】
なお、次のような変形も本発明の範囲内であり、変形例の一つ、もしくは複数を上述の実施形態と組み合わせることも可能である。
［変形例］
（１）上記した実施の形態では、正負極未塗工部１７６ｂ，１７７ｂの捲回軸方向の長さが巻き始め端部１７４Ｓ，１７５Ｓから巻き終わり端部１７４Ｅ，１７５Ｅにかけて直線的に変化するようにしたが、本発明はこれに限定されることなく、種々の形態を採用することができる。
【００７２】
たとえば、図１３（ａ）に示すように、正極未塗工部２７６ｂの捲回軸方向の長さが、捲回電極群の内周側に位置する正極電極２７４の巻き始め端部２７４Ｓから捲回電極群の外周側に位置する正極電極２７４の巻き終わり端部２７４Ｅにかけて、所定間隔で不連続的に、すなわち段階的に変化するように正極電極２７４を形成してもよい。同様に、図１３（ｂ）に示すように、負極未塗工部２７７ｂの捲回軸方向の長さが、捲回電極群の内周側に位置する負極電極２７５の巻き始め端部２７５Ｓから捲回電極群の外周側に位置する負極電極２７５の巻き終わり端部２７５Ｅにかけて、所定間隔で不連続的に、すなわち段階的に変化するように負極電極２７５を形成してもよい。
【００７３】
図１３（ａ）および図１３（ｂ）に示す正負極電極２７４，２７５を作製するには、ロールカッタ（不図示）を周期的に正負極電極２７４，２７５の短手方向に移動させればよい。ロールカッタの移動周期を変化させることで所望の形状の正負極電極２７４，２７５を容易に作製することができる。
【００７４】
（２）図１４（ａ）および図１５（ａ）に示すように、捲回電極群の内周側に位置する正極電極３７４，４７４の巻き始め端部３７４Ｓ，４７４Ｓから捲回電極群の外周側に位置する正極電極３７４，４７４の巻き終わり端部３７４Ｅ，４７４Ｅにかけて、正極未塗工部３７６ｂ，４７６ｂの捲回軸方向の長さを曲線的に変化させてもよい。
同様に、図１４（ｂ）および図１５（ｂ）に示すように、捲回電極群の内周側に位置する負極電極３７５，４７５の巻き始め端部３７５Ｓ，４７５Ｓから捲回電極群の外周側に位置する負極電極３７５，４７５の巻き終わり端部３７５Ｅ，４７５Ｅにかけて、負極未塗工部３７７ｂ，４７７ｂの捲回軸方向の長さを曲線的に変化させてもよい。
【００７５】
図１４（ａ）に示すように、正極未塗工部３７６ｂの捲回軸方向の長さが、捲回電極群の内周側に位置する正極電極３７４の巻き始め端部３７４Ｓから急激に変化し、急激に変化した部分から捲回電極群の外周側に位置する正極電極３７４の巻き終わり端部３７４Ｅに向かって緩やかに変化するように正極電極３７４を形成してもよい。同様に、図１４（ｂ）に示すように、負極未塗工部３７７ｂの捲回軸方向の長さが、捲回電極群の内周側に位置する負極電極３７５の巻き始め端部３７５Ｓから急激に変化し、急激に変化した部分から捲回電極群の外周側に位置する負極電極３７５の巻き終わり端部３７５Ｅに向かって緩やかに変化するように負極電極３７５を形成してもよい。
【００７６】
本変形例では、巻き始め端部３７４Ｓ，３７５Ｓから巻き終わり端部３７４Ｅ，３７５Ｅにかけて正負極塗工部３７６ａ，３７７ａ側に凸となる曲線形状を呈するように正負極未塗工部３７６ｂ，３７７ｂの幅が決定された正負極電極３７４，３７５をセパレータを介在させて捲回することで捲回電極群が作製される。このため、本変形例では、図１６（ａ）に示すように、捲回電極群の内周側で急峻に正負極未塗工部３７６ｂ，３７７ｂの長さが変化することになる。換言すれば、本変形例に係る二次電池では、捲回電極群の捲回軸方向の端部を構成する正極箔３７１の端部と、電池容器の内面との捲回軸方向の隙間の変化率が、捲回電極群の外周側に比べて捲回電極群の内周側の方が大きくなるように、正極箔３７１の端部の形状が決定されている。同様に、捲回電極群の捲回軸方向の端部を構成する負極箔３７２の端部と、電池容器の内面との捲回軸方向の隙間の変化率が、捲回電極群の外周側に比べて捲回電極群の内周側の方が大きくなるように、負極箔３７２の端部の形状が決定されている。
【００７７】
これにより上記実施の形態に比べて、さらに広い空間Ｓ３６０，Ｓ３６２を形成することができ、注液孔１０６ａから注液された電解液を素早く底板１０１ｃ側に流入させることができる。その結果、電解液の注液作業時間をより短縮することができる。
【００７８】
図１５（ａ）に示すように、正極未塗工部４７６ｂの捲回軸方向の長さが、捲回電極群の内周側に位置する巻き始め端部４７４Ｓから捲回電極群の外周側に位置する巻き終わり端部４７４Ｅの近傍に向かって緩やかに変化し、巻き終わり端部４７４Ｅの近傍で急激に変化するように正極電極４７４を形成してもよい。同様に、図１５（ｂ）に示すように、負極未塗工部４７７ｂの捲回軸方向の長さが、捲回電極群の内周側に位置する巻き始め端部４７５Ｓから捲回電極群の外周側に位置する巻き終わり端部４７５Ｅの近傍に向かって緩やかに変化し、巻き終わり端部４７５Ｅの近傍で急激に変化するように負極電極４７５を形成してもよい。
【００７９】
換言すれば、本変形例に係る二次電池では、捲回電極群の捲回軸方向の端部を構成する正極箔４７１の端部と、電池容器の内面との捲回軸方向の隙間の変化率が、捲回電極群の内周側に比べて捲回電極群の外周側の方が大きくなるように、正極箔４７１の端部の形状が決定されている。同様に、捲回電極群の捲回軸方向の端部を構成する負極箔４７２の端部と、電池容器の内面との捲回軸方向の隙間の変化率が、捲回電極群の内周側に比べて捲回電極群の外周側の方が大きくなるように、負極箔４７２の端部の形状が決定されている。
【００８０】
本変形例では、巻き始め端部４７４Ｓ，４７５Ｓから巻き終わり端部４７４Ｅ，４７５Ｅにかけて正負極塗工部４７６ａ，４７７ａとは反対側に凸となる曲線形状を呈するように正負極未塗工部４７６ｂ，４７７ｂの幅が決定された正負極電極４７４，４７５をセパレータを介在させて捲回することで捲回電極群が作製される。
【００８１】
捲回電極群の内周側に位置する正負極電極４７４，４７５と外周側に位置する正負極電極４７４，４７５とでは周長、すなわち１周当りの長さが異なっている。周長に対して隣り合う正極電極４７４同士の周長の差の割合は、内周側で大きくなり、外周側で小さくなる。同様に、周長に対して隣り合う負極電極４７５同士の周長の差の割合は、内周側で大きくなり、外周側で小さくなる。本変形例では、外周側ほど正負極未塗工部４７６ｂ，４７７ｂの捲回軸方向の長さの変化率を大きくしているので、図１６（ｂ）に示すように、隣り合う正極電極４７４のそれぞれの端部と電池容器内面との隙間の差を内周側と外周側とで略一定に調整することができる。同様に、隣り合う負極電極４７５のそれぞれの端部と電池容器内面との隙間の差を内周側と外周側とで略一定に調整することができる。つまり、側面視で上部湾曲部および下部湾曲部の端部を結ぶ線を直線状にすることができる。
【００８２】
（３）上記した実施の形態では、電池容器の形状を角形としたが、本発明はこれに限定されない。断面長円形状の扁平形電池容器としてもよく、電池缶１０１の開口を電池蓋１０２によって封止する薄形の種々の電池容器を採用できる。
（４）リチウムイオン二次電池を一例として説明したが、ニッケル水素電池などその他の二次電池にも本発明を適用できる。
【００８３】
（５）正極端子、正極集電体および正極箔の材質は、アルミニウムに限定されることなく、アルミニウム合金としてもよい。負極端子、負極集電体および負極箔の材質は、銅に限定されることなく、銅合金としてもよい。
【００８４】
本発明は、上記した実施の形態に限定されるものでなく、発明の要旨を逸脱しない範囲で自由に変更、改良が可能である。
【符号の説明】
【００８５】
１６  捲回軸、１７  ガイドローラ、１００  二次電池、１０１  電池缶、１０１ａ  幅広側板、１０１ｂ  幅狭側板、１０１ｃ  底板、１０２  電池蓋、１０３  ガス排出弁、１０６ａ  注液孔、１０６ｂ  注液栓、１０７  電極群組立体、１０８  絶縁ケース、１４１  正極端子、１５１  負極端子、１７０  捲回電極群、１７０Ｌ  下部湾曲部、１７０Ｐ  平坦部、１７０Ｕ  上部湾曲部、１７１  正極箔、１７２  負極箔、１７３  セパレータ、１７４  正極電極、１７４Ｅ  巻き終わり端部、１７４Ｓ  巻き始め端部、１７５  負極電極、１７５Ｅ  巻き終わり端部、１７５Ｓ  巻き始め端部、１７６ａ  正極塗工部、１７６ｂ  正極未塗工部、１７６ｐ  正極活物質合剤層、１７７ａ  負極塗工部、１７７ｂ  負極未塗工部、１７７ｎ  負極活物質合剤層、１７８  正極束状電極接続部、１７９  負極束状電極接続部、１８０  正極集電体、１８１  座面部、１８２  接続部、１８３  接合部、１８５  絞り加工部、１９０  負極集電体、１９１  座面部、１９２  接続部、１９３  接合部、１９５  絞り加工部、１９７  保護板、１９８  保護板、２７４  正極電極、２７４Ｅ  巻き終わり端部、２７４Ｓ  巻き始め端部、２７５  負極電極、２７５Ｅ  巻き終わり端部、２７５Ｓ  巻き始め端部、２７６ｂ  正極未塗工部、２７７ｂ  負極未塗工部、３７１  正極箔、３７２  負極箔、３７４  正極電極、３７４Ｅ  巻き終わり端部、３７４Ｓ  巻き始め端部、３７５  負極電極、３７５Ｅ  巻き終わり端部、３７５Ｓ  巻き始め端部、３７６ｂ  正極未塗工部、３７７ｂ  負極未塗工部、４７１  正極箔、４７２  負極箔、４７４  正極電極、４７４Ｅ  巻き終わり端部、４７４Ｓ  巻き始め端部、４７５  負極電極、４７５Ｅ  巻き終わり端部、４７５Ｓ  巻き始め端部、４７６ｂ  正極未塗工部、４７７ｂ  負極未塗工部、９７０  捲回電極群、９７０Ｌ  下部湾曲部、９７０Ｕ  上部湾曲部、９７２  負極箔、９７７ｂ  負極未塗工部
【図１】
2013222620.tif 000003
【図２】
2013222620.tif 000004
【図３】
2013222620.tif 000005
【図４】
2013222620.tif 000006
【図５】
2013222620.tif 000007
【図６】
2013222620.tif 000008
【図７】
2013222620.tif 000009
【図８】
2013222620.tif 000010
【図９】
2013222620.tif 000011
【図１０】
2013222620.tif 000012
【図１１】
2013222620.tif 000013
【図１２】
2013222620.tif 000014
【図１３】
2013222620.tif 000015
【図１４】
2013222620.tif 000016
【図１５】
2013222620.tif 000017
【図１６】
2013222620.tif 000018